【手続補正書】
【提出日】令和3年6月9日(2021.6.9)
【手続補正１】
【補正対象書類名】明細書
【補正対象項目名】０００８
【補正方法】変更
【補正の内容】
【０００８】
本開示は、装置または方法の形態であっても、様々な組合せで、以下に挙げる項目により特徴付けられ得る。
１．  圧力容器用のボスアセンブリであって、前記ボスアセンブリは、
内表面を有する開口部と、前記内表面に隣接する第１停止機構とを備えるボスと、
少なくとも部分的に前記ボス内に挿入されて、前記圧力容器の内部と前記圧力容器の外部の間の流体の連通を防止するように構成された嵌合部品であって、外表面と、前記外表面に隣接する第２停止機構とを備える嵌合部品と、
前記外表面に沿って配置された第１シールと、
前記外表面に沿って配置された第２シールと、を備え、
前記嵌合部品は、前記ボスに対して、第１位置と第２位置との間で移動可能であり、
前記第１位置において、前記第１シールは前記内表面と前記外表面との間に密封係合し、前記第２シールは前記内表面と前記外表面との間に密封係合せず、前記第１停止機構と前記第２停止機構との間に相互接触はなく、
前記第２位置において、前記第１シールは前記内表面と前記外表面との間に密封係合せず、前記第２シールは前記内表面と前記外表面との間に密封係合し、前記第１停止機構は前記第２停止機構に接触する、
圧力容器用のボスアセンブリ。
２．  前記第１停止機構は前記内表面から外向きに延在する肩部であり、前記第２停止機構は前記外表面から外向きに延在する面である、項目１に記載のアセンブリ。
３．  前記ボスは雌ねじ面を備え、前記嵌合部品は前記雌ねじ面と係合するように構成された雄ねじ面を備える、項目１から２のいずれか１項に記載のアセンブリ。
４．  前記嵌合部品は、前記第１シール又は前記第２シールを保持するように構成された第１溝を備える、項目１から３のいずれか１項に記載のアセンブリ。
５．  前記嵌合部品は第２溝を備える、項目４に記載のアセンブリ。
６．  少なくとも部分的に前記第２溝内に挿入されるように構成されたリテーナを更に備える、項目５に記載のアセンブリ。
７．  前記リテーナは、前記第２位置において前記ボスの外側に位置する、項目６に記載のアセンブリ。
８．  前記リテーナは、前記第２位置において前記ボスの外面に接触する、項目７に記載のアセンブリ。
９．  前記リテーナは、前記第１位置において前記開口部の内部に位置する、項目６から８のいずれか１項に記載のアセンブリ。
１０．  前記嵌合部品はその外面に非円形の凹部を備える、項目１から９のいずれか１項に記載のアセンブリ。
１１．  圧力容器とともにボスアセンブリを使用する方法であって、
前記ボスアセンブリは、
内表面を有する開口部と、前記内表面に隣接する第１停止機構とを備えるボスと、
前記ボス内に挿入されて、前記圧力容器の内部と前記圧力容器の外部の間の流体の連通を防止するように構成された嵌合部品であって、外表面と、前記外表面に隣接する第２停止機構とを備える嵌合部品と、を備え、
前記方法は、
前記嵌合部品を第１位置まで前記ボスの前記開口部に挿入して、第１シールが前記内表面と前記外表面との間に係合し、第２シールが前記内表面と前記外表面との間に係合せず、前記第１停止機構と前記第２停止機構との間に相互接触がないようにすることを含む、方法。
１２．  前記第１シールを、前記嵌合部品の前記外表面に沿って第１溝内に配置することを更に含む、項目１１に記載の方法。
１３．  前記第２シールを、前記嵌合部品の前記外表面に沿って別の溝内に配置することを更に含む、項目１２に記載の方法。
１４．  前記嵌合部品の前記外表面に沿って、少なくとも部分的に第２溝内にリテーナを配置することを更に含む、項目１２から１３のいずれか１項に記載の方法。
１５．  前記リテーナを配置することは、前記リテーナを前記ボスの外側に配置することを含む、項目１４に記載の方法。
１６．  前記リテーナを配置することは、前記リテーナを前記ボスの外表面に接触させることを含む、項目１５に記載の方法。
１７．  前記ボスの前記開口部に対して前記嵌合部品を第２位置まで移動させて、前記第１シールが前記ボスの外側に位置し、前記第２シールが前記内表面と前記外表面との間に係合し、前記第１停止機構が前記第２停止機構に接触するようにすることを更に含む、項目１１から１６のいずれか１項に記載の方法。
１８．  前記ボスの前記開口部に対して前記嵌合部品を移動させることは、前記嵌合部品を回転させて、前記ボスの雌ねじ面と前記嵌合部品の雄ねじ面とを係合させることを含む、項目１７に記載の方法。
１９．  前記嵌合部品を回転させるために、前記嵌合部品の外面にある非円形の凹部を係合させることを含む、項目１８に記載の方法。
２０．  前記ボスの前記開口部に対して前記嵌合部品を移動させることは、前記開口部内で前記嵌合部品上に配置されたリテーナを移動させることを含む、項目１７から１９のいずれか１項に記載の方法。
【手続補正２】
【補正対象書類名】明細書
【補正対象項目名】００３３
【補正方法】変更
【補正の内容】
【００３３】
適切な実施形態の例示的で非限定的な説明が、以下に記載されている。圧力容器１０用の例示的なボスアセンブリ２８、２８ａ、２８ｂは、ボス３０、３０ａ、３０ｂと、嵌合部品３２、３２ａ、３２ｂと、第１シール及び第２シール６０ａ、６０ｂとを備える。ボス３０、３０ａ、３０ｂは、内表面を備える開口部２６と、内表面に隣接する第１停止機構３６、３６ａ、３６ｂとを備える。嵌合部品３２、３２ａ、３２ｂは、少なくとも部分的にボス３０、３０ａ、３０ｂ内に挿入されて、圧力容器１０の内部１７と圧力容器１０の外部１９との間における流体の流通を防ぐように構成されている。嵌合部品３２、３２ａ、３２ｂは、外表面７０と、外表面７０に隣接する第２停止機構３８、３８ａ、３８ｂとを備える。外側シール６０ｂは、例えばシーリング溝４８において外表面７０に沿って配置される。内側シール６０ａは、例えばシーリング溝５０において外表面７０に沿って配置される。嵌合部品３２、３２ａ、３２ｂは、ボス３０、３０ａ、３０ｂに対する第１位置と第２位置との間で移動可能である。図６、８及び９に示す第１位置において、外側シール６０ｂ（シーリング溝４８内）は内表面と外表面との間に密封係合し、内側シール６０ａ（シーリング溝５０内）は内表面と外表面との間に密封係合せず、第１停止機構３６、３６ａ、３６ｂと第２停止機構３８、３８ａ、３８ｂとの間に相互接触はない。第２位置（一実施形態について、図５及び図７に示されている）において、外側シール６０ｂは内表面と外表面との間に密封係合せず、内側シール６０ａ（シーリング溝５０内）は、内表面と外表面との間に密封係合し、第１停止機構３６、３６ａ、３６ｂは第２停止機構３８、３８ａ、３８ｂに接触する。例示的な実施形態において、第２位置では、外側シール６０ｂ（シーリング溝４８内）はボス３０、３０ａ、３０ｂの外側に位置する。
【手続補正３】
【補正対象書類名】特許請求の範囲
【補正対象項目名】請求項４
【補正方法】変更
【補正の内容】
【請求項４】
前記嵌合部品は、前記第１シール又は前記第２シールを保持するように構成された第１溝を備える、請求項１から３のいずれか１項に記載のアセンブリ。
【手続補正４】
【補正対象書類名】特許請求の範囲
【補正対象項目名】請求項１３
【補正方法】変更
【補正の内容】
【請求項１３】
前記第２シールを、前記嵌合部品の前記外表面に沿って別の溝内に配置することを更に含む、請求項１２に記載の方法。